(57)【要約】第１の選別機においては郵便物は相関する配達点のグループに選別される。次いで郵便物はグループで最後の選別工程のために第２の選別機に供給される。この第２の選別機においてはそれぞれ１つのグループの郵便物が各グループの配達点に選別される。この場合、１つの配達点の郵便物は自動的に空にできる１つの最終位置へ導かれるか又は郵便物の量が大きすぎると、並んで位置する複数の最終位置へ導かれる。すべての郵便物が単数又は複数の最終位置に存在すると郵便物は自動的に静止している区分コンベアの上に、１つの最終位置の郵便物が１つの区分に存在するようにおろされる。当該グループのすべての郵便物が区分コンベアの１つの区分に積込まれたあとで、区分コンベアは郵便物を送出ユニットに搬送する。この送出ユニットにおいて前記区分の郵便物は機械式に纏められかつ分配順序で集められる。
2006515229.tif 000002
【特許請求の範囲】
【請求項１】
扁平な郵便物を分配順序に従って選別する方法であって、この選別のために郵便物（２）を第１の選別機（１０）において目的アドレスを確認したあとで、少なくとも１つの選別工程で、相関する配達点のグループに選別し、次いでグループ形式で第２の選別機（２０）に最後の選別工程のために供給し、この最後の選別工程にてそれぞれ１つのグループの郵便物（２）を関連する選別計画に応じかつ各郵便物（２）の既知の目的アドレスに応じ各グループの配達点に分配順序で選別され、１つの配達点の郵便物が自動的に空にできる１つの最終位置又は並んで位置する複数の最終位置へ導かれ、各配達点に対応配置されたすべての郵便物が単数又は複数の最終位置（２３）に存在するとただちに、これら郵便物（２）が自動的に、静止している区分コンベア（２４）の上に、１つの最終位置（２３）の郵便物（２）が対応配置された区分の上に位置しているように積込まれ、区分コンベア（２４）が各グループの郵便物（２）を、すべての郵便物（２）が各区分に存在させられたあとで送出ユニットに供給し、この送出ユニットにおいて各区分の郵便物（２）が機械的に纏められかつ分配順序で集められることを特徴とする、扁平な郵便物を分配順序で選別する方法。
【請求項２】
前記区分コンベア（２４）の各区分の郵便物（２）が前記送出ユニットにおいて結束装置で束ねられる、請求項１記載の方法。
【請求項３】
前記区分コンベア（２４）の各区分の郵便物（２）が前記送出ユニットにおいて包装される、請求項１記載の方法。
【請求項４】
この選別の第１の選別機（１０）において又は先行するプロセスにおいて郵便物（２）に、既知の目的アドレスのための読取り可能なコードを付与し、第２の選別機（２０）においてはこのコードがただ読取られる、請求項１記載の方法。
【請求項５】
第２の選別機（２０）に供給された郵便物（２）の目的アドレスを確認するために、郵便物（２）に第１の選別機（１０）において又は先行するプロセスにおいて、機械的に読取り可能なコードを確認記号として施し、このコードの数域が第１の選別機（１０）にてグループに選別された郵便物（２）の数を含んでおり、このコードが第２の選別機（２０）にて読取られ、前記確認記号に対応する既知の目的アドレスが記憶されたデータバンクの助けを借りて各目的アドレスが決定される、請求項１記載の方法。
【請求項６】
この選別の第２の選別機（２０）に送られた郵便物（２）の目的アドレスを確認するために、第１の選別機（１０）において付加的に、郵便物（２）を区別する特徴を確認のために検出しかつアドレスデータバンクにて、検出されたアドレスに対応させて記憶し、この場合、第２の選別機（２０）において同様に区別する前記特徴を検出し、この特徴に基づきアドレスデータバンクにて、対応する目的アドレスを有するそれぞれ検出された特徴を探査する、請求項１記載の方法。
【請求項７】
前記送出ユニットの前にて、選別機で選別できない郵便物（２）をその読取られた目的アドレスに応じて自動的に、各目的アドレスに対応する前記区分コンベアの区分に搬送する、請求項１記載の方法。
【請求項８】
前記送出ユニットの前で、アドレスのない郵便物（２）が自動的に区分コンベア（２４）の区分の上に搬送される、請求項１記載の方法。
【請求項９】
扁平な郵便物を分配順序で選別するための装置であって、この選別のために郵便物（２）が目的アドレスの確認後、少なくとも１つの選別工程で、相関する配達点のグループに選別される第１の選別機（１０）と、郵便物（２）がグループごとに最後の選別工程のために供給され、第１の選別機（１０）から供給されたそれぞれ１つのグループの郵便物（２）が、関連する選別計画と各郵便物（２）のための既知の目的アドレスに応じて各グループの配達点に分配順序で選別可能であり、この場合、１つの配達点の郵便物（２）が自動的に空にできる単数の最終位置（２３）又は並んで位置する複数の最終位置（２３）に導き可能であり、各配達点に所属するすべての郵便物（２）が前記単数又は複数の最終位置（２３）にあると、該郵便物（２）が静止した区分コンベア（２４）の上に、１つの最終位置（２３）のすべての郵便物（２）が１つの区分に位置するように自動的に積込まれ、すべての郵便物（２）が各区分に積込まれたあとで区分コンベア（２４）が郵便物を送出ユニットに供給し、該送出ユニット内で各区分の郵便物（２）が機械的に纏められかつ分配順序で集められることを特徴とする、扁平な郵便物を分配順序で選別するための装置。
【発明の詳細な説明】
【技術分野】
【０００１】
本発明は扁平な郵便物を分配順序で選別する方法に関する。
【０００２】
配達人の分配順序に従って選別された郵便物は、郵便物を分配する場合に配達人が受取人を順次訪れる順序で位置している。この順序を付与するためには公知技術では多くの方法が採用されている。
【０００３】
複数の選別工程で行なわれる従来のラディクス（Ｒａｄｉｘ）選別法（選別位置の数は分配保持点の数よりも小さい）では、郵便物は各選別工程の後で、選別順序で選別機の材料投入口へ改めて次の選別工程のために供給される（ＥＰ０９４８４１６Ｂ１号明細書）。結果として多くの分配点の郵便物を有する連続したスタックが生じる。この関連において、このサイクルが複数の選別工程で自動的に実行される解決が公知である。つまり郵便物は自動的に総スタックを形成して選別最終位置から遠ざけられかつ最後の選別工程を除いて再び材料投入口へ供給される（ＥＰ０８７０５５２Ａ３号明細書）。個々の分配保持点のための郵便物に結束又は包装によって分けることは簡単には可能ではない。区別するために仕分けカードを用いても配達人には分配プロセスに際して依然としてかなりの手間隙がかかり、加えて仕分けカードの取扱いに労力が必要である。
【０００４】
さらに分配順序で選別するために、郵便物が一の選別工程だけで直接的に分配保持点のための最終位置（各分配保持点のための少なくとも１つの最終位置）に選別される解決も公知である（ＵＳ５，９７７，５０１号明細書）。このために必要な選別機は、郵便物の全体量のためのストック容積を有していなければならず、したがってきわめて多くのスペースを要する。これ技術的に費用がかかり高価である。
【０００５】
本発明の課題は扁平な郵便物を分配順序に従って選別する方法と装置であって、選別機の所要スペースがわずかで、後続の分配プロセスでかかる人的な労力が少ないものを提供することである。
【０００６】
この課題では請求項１と９の特徴によって解決された。第１の選別機においては郵便物は目的アドレスを確認したあとで少なくとも１つの選別工程で、相関する配達点のグループに選別される。次いで郵便物はグループで、最後の選別工程のために第２の選別機に供給される。この第２の選別機にてそれぞれ１つのグループの郵便物が該当する選別計画に応じてかつ各郵便物のための既知の目的アドレスに応じて各グループの配達点に選別される。この場合、１つの配達点の郵便物は自動的に空にできる１つの最終位置へ又は、郵便物量が大きすぎる場合には、並んで位置する複数の最終位置へ導かれる。各配達点に対応するすべての郵便物が単数又は複数の最終位置にあるとただちに、郵便物は自動的に静止している区分コンベアの上に、１つの最終位置の郵便物が１つの区分に存在するように積み込まれる。グループのすべての郵便物が区分コンベアの区分に積込まれたあとで、区分コンベアは郵便物を送出ユニットに搬送し、該送出ユニット内で各区分の郵便物は機械的に纏められ、分配順序で集められる。
【０００７】
本発明の有利な実施例は従属請求項に示されている。
【０００８】
区分コンベアの１つの区分の郵便物が最低の剛性を有している場合には郵便物は送出ユニットにおいて機械的に纏めるために結束装置で束ねられると有利である。
【０００９】
又、別の変化実施例では区分コンベアの１つの区分の郵便物が包帯で包装されることもできる。
【００１０】
第２の選別機における労力の少ない読取プロセスのためには、第１の選別機又は先行するプロセスにて既知の目的アドレスの機械的に読取可能なコード、例えばバーコードが郵便物に付与され、第２の選別機ではこのコードが単に読取られると有利である。
【００１１】
目的アドレスが、郵便物に機械的に読取可能なコードを付与する時点でまだ判っていないと、別の有利な実施例では、郵便物に当該郵便物を確認するＩＤ表示が機械的に読取可能なコードとして施される。この場合、このＩＤ表示の数領域は少なくとも第１の選別機にてグループに選別された郵便物の数を包含している。次いでこのコードは第２の選別機にて読取られ、ＩＤ表示に対応して公知の目的アドレスが記憶されているデータバンクの助けを借りて各郵便物のために目的アドレスが決定される。郵便物に対応するＩＤコードの印刷を省略するためには、第１の選別機にて付加的に、郵便物を区別する特徴を認識のために検出し、アドレスデータバンクに、検出されたアドレスに対応させて記憶することができる。第２の選別機においてはこの特徴を同様に検出することができる。次いで検出された特徴に基づいてアドレスデータバンクが探査される。又、選別機不適の郵便を参入させないためにはこの郵便物を送出ユニットの前で自動的に区分コンベアの各目的アドレスに対応する区分に自動的に搬送することが有利である。
【００１２】
アドレスのない郵便物、例えばすべての家庭に配布しようとする宣伝文書は同様に送出ユニットの前で区分コンベアの区分に搬送されることができる。
【００１３】
以下、本発明を図面に基づき１実施例について詳細に説明する。
【００１４】
図１は本発明の方法を説明するためのベルト選別機の概略図。
【００１５】
図２は本発明の方法の時間的な経過を示した図。
【００１６】
図３は郵便物が分岐器を介し選別コンパートメントへ導かれる２つのカスケード化された選別機を示した斜視図。
【００１７】
図４ａ及び４ｂはスタックコンパートメントを空にする装置を備えたスタッキングコンパートメントと、選別された郵便物スタックを搬出する区分コンベアとを、スタッキングコンパートメントが一杯である場合（４ａ）とスタッキングコンパートメントが空である場合（４ｂ）とに分けて示した図である。
【００１８】
まず所定分配地域のための郵便物が第１の選別機の上で公知のように配達点のグループに選別される。そのあとで郵便物グループは第２の選別機の上で、この場合にはベルト選別機（図１）で、個々の配達点に選別される。各郵便物グループは最大、第２の選別機が有している最終位置の数の配達点のための郵便物を含んでいる。１つの郵便物グループの郵便物２が個別化されかつその目的アドレスが読取られた後で、郵便物２は相前後して配置された搬送モジュールから成る選別区間の上に達する。搬送モジュール１の上では郵便物２は横になって搬送されかつ搬送モジュール１は下方へ旋回可能である。前記選別区間の下には最終位置があり、下方へ旋回させられた各搬送モジュール１はその上にある郵便物２を対応する最終位置へ導く。各最終位置は確実な搬出のために２つの連行体を有する循環する搬送ベルトを備えた、下方へ旋回可能な搬送モジュール３として構成されている。
【００１９】
普通の状態では搬送モジュール３は水平状態にあり、搬送ベルトは静止位置にあり、搬送ベルトの後端部にはそこでストッパとして働く連行体がある。選別区間の所定の搬送モジュール１が郵便物２と共に下方へ旋回させられると、この郵便物２は左上から斜めに最終位置へ搬送されかつ連行体にて制動される。各最終位置は１つの配達点に対応配置されている。この対応配置は並んで位置する最終位置において郵便物が分配順序で位置するように行なわれる。各最終位置に予定された郵便物２が最終位置へ選別されると、搬送モジュール３／最終位置が同様に下方へ旋回させられて、最終位置の下に配置された静止した区分コンベア４の１つの区分の上に郵便物が搬送されかつ区分コンベア４の搬送ベルトが動かされる。この場合には遅くともストッパとして用いられない連行体が郵便物２を移動させる。この郵便物グループのすべての郵便物２が区分コンベア４の上にあると、区分コンベア４の駆動装置が接続され、郵便物２は分配順序で図示されていない送出ユニットへ搬送される。そこで郵便物２はそれぞれ１つの配達点のために少なくとも機械式に纏められる。これは相上下して位置する郵便物２が束ねられるか、シート内に溶接されるか、袋に包装されるか、又は容器に積込まれることで行なわれる。
【００２０】
束ねるための例としてはＤＥ１９６３６９８０Ａ１号明細書に郵便物スタックを十文字掛けて結束する装置が記載されている。ＥＰ０３０３２０３Ａ２号明細書によれば例えば、郵便物（例えばマガジン）を透明なシート内に包装する方法が開示されている。
【００２１】
図２には時間的な経過が短く記載されている。第１に配達点の第１グループのための郵便物グループ１が対応する最終位置に選別される。対応するすべての郵便物がすでに選別された最終位置は、即座に当該郵便物グループ１の選別がまだ終了しないうちに、静止している区分コンベアの上に空にされる。郵便物グループ１の選別が終了するとただちに郵便物グループ２の選別が開始される。これはすでに、各最終位置が空にされる前に、少なくとも個別化、読取り及び選別区間への導入を行なうステップと一緒に行なわれる。郵便物グループ１のすべての郵便物が区分コンベアの上にあると、区分コンベアは動かされ、常に一定の搬送時間後すべての郵便物は送出ユニット内に位置し、区分コンベアは停止させられ、早くてもこの時点で、郵便物グループ２のための最終位置を空にすることが開始させられることができる。これが終了したあとで郵便物グループ３の選別が開始される等々。
【００２２】
郵便物が分岐器を介して最終位置に達する２つのカスケード化された選別機を用いた２つの選別工程での選別は図３に示されている。ローラ搬送路１１を介して分配地域の郵便物を有する郵便物容器１２が第１の選別機１０の入口部分に供給される。第１の選別機１０はフィーダベット１３と個別化装置１４とから成っている。第１の選別機１０の入口部分にて郵便物容器１２は空にされ、郵便物２はフィーダベット１３の上に起立させられる。次いで郵便物スタックは連続的に個別化装置１４に向かって移動させられ、そこでその都度最先端の郵便物が引出される。位置調整と目的アドレスの読取りのあとで個別化された郵便物はレター移動区間１５を介して選別部分１６に供給され、この選別部分１６にて郵便物は読取られた目的アドレスに相応して制御された分岐器を介して、最終位置として並んで位置するスタッキングコンパートメント１７内に選別される。各スタッキングコンパートメント１７は配達点の所定のグループに対応配置されている。現今の地域のためのすべての郵便物が選別されると、スタッキングコンパートメント１７が郵便物容器１２内に空にされる。次いでこの郵便物容器１２は別の搬送ローラ路１８を第２の選別機２０の入口部分１９に向かって搬送される。この第２の選別機２０において郵便物は選別部分２２におけるレター移動区間２１のあとで郵便物グループ式に個々の配達点に分配順序で選別される。すなわち最終位置として並んで位置するスタッキングコンパートメント２３は分配順序で配達点に対応配置されている。空にされた郵便物容器１２は上側の搬送路２５を介して第１の選別機１０に再び供給され、郵便物容器２５にはスタッキングコンパートメント１７から選別された郵便物グループが積込まれる。第２の選別機２０においては各配達点に１つのスタッキングコンパートメント２３が対応させられており、したがって各スタッキングコンパートメント２３のための郵便物量は比較的にわずかであるのでスタッキングコンパートメント２３は限られた収容能力（約４０−５０ｍｍ長さ）を有している。
【００２３】
スタッキングコンパートメント２３から区分コンベア２４の上に起立した郵便物をおろすことは自動的に行なわれ、図４のａとｂとに詳細に示されている。図面から判るように郵便物２はスタックローラ３０を用いてスタック位置にて側方へ、最終位置としてのスタッキングコンパートメント２３内へ、図示されていない衝突壁まで導入され、そこでスタックベース３１の上に起立させられた状態で、駆動されたスタックサポート３２により起立位置に保持される。スタック厚さの増大に伴ってスタックサポート３２はスタック位置から、測定された郵便物厚さに応じて（スタックサポート３２の駆動装置３３によって駆動されて）又は所定のスタック圧に応じて図示されていないばねの力に抗して遠ざけられる（最大行程＝コンパートメント深さ）。予定されたすべての郵便物２がスタッキングコンパートメント２３内にあると、同時に、スタックサポート３２と静止状態でスタック方向でスタック位置の前にある押しユニット３４とが、スタックの位置から離れて、スタッキングコンパートメント２３の開放端部を越えて移動させられる。
【００２４】
スタックサポート３２と押しユニット３４との比較的に迅速な運動は適当な駆動装置３３，３５で与えられる。この場合、スタックサポート３２の方が大きな距離を移動し、これによりスタックの締付けが解消される。駆動装置３３，３５は公知のように例えばリニア駆動装置として又はラック駆動装置として実現することができる。押しユニット３４はすべての郵便物フォーマットの面にできるだけ一様に力が導入されるように構成されている。迅速な運動とその結果スタックに衝撃的に力が導入されることによって、スタックは慣性力に基づき、大きなフォーメーション変化なしで、短いコンパートメントベース３１の縁を越えて移動させられる。スタックの締付けが解消されるので、スタックは重力に基づき、スタッキングコンパートメント２３の外側でスタックベース３１の下側にある、スタッキングコンパートメント２３を空ける方向に垂直状態から傾けられた、停止している区分コンベア２４に落下する。この区分コンベア２４は区分内の郵便物スタックを送出ユニットへ搬送する。郵便物が区分コンベア２４から下へ滑り落ちないように、区分コンベア２４の下方の側方制限部には幅の狭いローラ路３６が、ほぼ９０°の角度で傾けられて配置されている。このローラ路３６に郵便物２はその狭幅側で支えられる。すべてのスタッキングコンパートメント２３が空にされるとただちに区分コンベア２４はすべての郵便物スタックが送出ユニットに引渡されるまで移動させられる。
【図面の簡単な説明】
【００２５】
【図１】本発明の方法を実施するベルト選別機の概略図。
【図２】本発明の方法の時間的な経過を示した図。
【図３】郵便物が分岐器を介し選別コンパートメントへ導かれる２つのカスケード化された選別機を示した斜視図。
【図４】スタックコンパートメントを空にする装置を備えたスタッキングコンパートメントと、選別された郵便物スタックを搬出する区分コンベアとを、スタッキングコンパートメントが一杯である場合（４ａ）とスタッキングコンパートメントが空である場合（４ｂ）とに分けて示した図。
【符号の説明】
【００２６】
１  搬送モジュール
２  郵便物
３  搬送モジュール
４  区分コンベア
１０  選別機
１１  ローラ搬送路
１２  郵便物容器
１３  フィーダベット
１４  個別化装置
１５  レター移動区間
１６  選別部分
１７  スタッキングコンパートメント
１８  搬送ローラ路
１９  入口部分
２０  選別機
２１  レター移動区間
２２  選別部分
２３  スタッキングコンパートメント
２４  区分コンベア
２５  搬送路
３０  スタックローラ
３１  スタックベース
３２  スタックサポート
３３  駆動装置
３４  押しユニット
３５  駆動装置
３６  ローラ路
【図１】
2006515229.tif 000003
【図２】
2006515229.tif 000004
【図３】
2006515229.tif 000005
2006515229.tif 000006
2006515229.tif 000007
【国際調査報告】
2006515229.tif 000008
2006515229.tif 000009
2006515229.tif 000010
2006515229.tif 000011